(57)【要約】【課題】ピアノ線を用いることなく、ポケットの取り付け位置を、容易に決めることを可能にするエレベーター改修用位置決め装置の提供。【解決手段】上記課題は、指標プレート２と、該指標プレート２を保持する例えば２個の保持部材３とからなり、該２個の保持部材３を、既設エレベーターの既設三方枠の上辺下面に当接する平坦面４Ａを有する当接部４と、該当接部４の一端から平坦面４Ａに対して垂直方向に立設する立設部５と、該立設部５の上部に設けられて指標プレート２を把持する把持部６とから構成し、しかも、該指標プレート２には、保持部材３の把持部６による指標プレート２の把持位置の目印となる一対の目印線７、７Ａ及びポケットを取り付けるための取り付け位置の目印となる複数個の位置指標穴８、８Ａを設ける構成とすることで、達成できる。【選択図】図１
2005324876.tif 000002
【特許請求の範囲】
【請求項１】
指標プレートと、この指標プレートを保持する保持部材とから少なくとも構成されるエレベーター改修用位置決め装置において、前記保持部材は、既設エレベーターの既設三方枠の上辺下面に当接する平坦面を有する当接部と、この当接部の一端から前記平坦面に対して垂直方向に立設する立設部と、この立設部の上部に設けられて前記指標プレートを把持する把持部とから構成され、しかも、前記指標プレートには、前記保持部材の把持部による前記指標プレートの把持位置の目印となる一対の目印線及びポケットを取り付けるための取り付け位置の目印となる複数個の位置指標穴を設けたことを特徴とするエレベーター改修用位置決め装置。
【請求項２】
前記一対の目印線を、前記指標プレートの端縁から前記指標プレートの長手方向に対して直角方向に延ばすと共に、その一対の目印線間の距離寸法を、既設エレベーターの既設三方枠における左辺の内側面と右辺の内側面との間口寸法と同一に設定したことを特徴とする請求項１記載のエレベーター改修用位置決め装置。
【請求項３】
前記指標プレートを保持してなる保持部材の当接部の平坦面を、それぞれ既設エレベーターの既設三方枠の上辺下面に当接させた状態において、前記指標プレートの位置指標穴の位置を、ポケットを取り付ける固定ブラケットの取り付け位置の目印となるように設定したことを特徴とする請求項２記載のエレベーター改修用位置決め装置。
【請求項４】
前記指標プレートとして、種類の異なる既設三方枠に対応できるように、一対の目印線及び複数個の取り付け位置指標穴の位置を異ならせてなる複数個の指標プレートを備えてなることを特徴とする請求項１、２若しくは３記載のエレベーター改修用位置決め装置。
【発明の詳細な説明】
【技術分野】
【０００１】
本発明は、エレベーター改修用位置決め装置に関するものである。
【背景技術】
【０００２】
従来、例えば、長時間使用したエレベーターを、改修する場合には、乗場出入り口に設置した三方枠を撤去すると、粉塵発生量が多いため、改修現場の周囲に悪影響を与えてしまうので、三方枠を撤去せずに、乗場ドアを吊持するポケット（ハンガーケース）を撤去新設するようにしていた。
【０００３】
そして、乗場ドアを吊持するポケット（ハンガーケース）を新設する場合には、ポケット（ハンガーケース）側に設けた位置決め用の目印線と、基準位置に吊り下げたピアノ線とを利用して、ポケット（ハンガーケース）の取り付け位置を設定した後、その位置にポケット（ハンガーケース）を固定するようにした工法が採用されていた。（特許文献１を参照）。
【特許文献１】特開平５−１５５５７２号公報（段落番号００１１〜段落番号００１３、図１及び図２）
【発明の開示】
【発明が解決しようとする課題】
【０００４】
上述した特開平５−１５５５７２号公報に記載の工法によれば、ピアノ線を基準位置に吊り下げるには、熟練した技術が要求されるため、ポケット（ハンガーケース）の取り付け位置を、容易に、かつ、精度よく決めることが困難であって、作業性が悪いという問題があった。
【０００５】
本発明は、上述した問題点に鑑みてなされたもので、その目的は、容易に、かつ、精度よくポケットの取り付け位置を設定しえるエレベーター改修用位置決め装置を提供するにある。
【課題を解決するための手段】
【０００６】
上記目的は、指標プレートと、この指標プレートを保持する保持部材とから少なくとも構成されるエレベーター改修用位置決め装置において、前記保持部材は、既設エレベーターの既設三方枠の上辺下面に当接する平坦面を有する当接部と、この当接部の一端から前記平坦面に対して垂直方向に立設する立設部と、この立設部の上部に設けられて前記指標プレートを把持する把持部とから構成され、しかも、前記指標プレートには、前記保持部材の把持部による前記指標プレートの把持位置の目印となる一対の目印線及びポケットを取り付けるための取り付け位置の目印となる複数個の位置指標穴を設けてなる構成とすることにより、達成できる。
【発明の効果】
【０００７】
本発明によれば、ポケットの取り付け位置を、ピアノ線を用いることなく、既設三方枠の上辺に設置したエレベーター改修用位置決め装置の指標プレートの位置指標穴によって、容易に、かつ、精度よく決めることができるので、改修作業の効率化を図ることができる。
【発明を実施するための最良の形態】
【０００８】
以下、本発明に係るエレベーター改修用位置決め装置の一実施形態を図面に基づいて説明する。図１は、本発明の一実施形態に係わるエレベーター改修用位置決め装置全体の外観斜視図である。図２は、本発明の一実施形態に係わるエレベーター改修用位置決め装置を既設小形三方枠に設置した状態を示す正面図である。図３は、本発明の一実施形態に係わるエレベーター改修用位置決め装置を用いて新設小形ポケットを既設小形三方枠上部に取り付けた状態を示す正面図である。図４は、本発明の一実施形態に係わるエレベーター改修用位置決め装置を既設大形三方枠に設置した状態を示す正面図である。図５は、本発明の一実施形態に係わるエレベーター改修用位置決め装置を用いて新設大形ポケットを既設大形三方枠上部に取り付けた状態を示す正面図である。
【０００９】
図１に示すエレベーター改修用位置決め装置１は、横長状の指標プレート２と、この指標プレート２を保持する例えば２個の保持部材３とから構成されている。２個の保持部材３は、同一構造であって、既設エレベーターの三方枠の上辺下面に当接する平坦面４Aを有する角材状の当接部４と、この当接部４の一端から平坦面４Aに対して垂直方向に立設する角材状の立設部５と、この立設部５の上部に設けられて指標プレート２を把持する把持部６とからなり、合成樹脂若しくは金属によって一体的に成形されている。指標プレート２は、一対の目印線７、７Ａ及び一対の取り付け位置指標穴８、８Aが設けられており、合成樹脂板若しくは金属板からなっている。当接部４と立設部５は、図１に示すように、Ｌ字状としてある。
【００１０】
保持部材３の把持部６は、図１に示すように、指標プレート２の長手方向の端縁部分を挿入可能な大きさに設定した把持用溝６Ａと蝶ネジ９とを有している。そして、保持部材３の把持部６は、把持用溝６Ａに指標プレート２の長手方向の端縁部分を挿入した状態で、蝶ネジ９を螺進させると、把持部６によって指標プレート２が把持されると共に、蝶ネジ９を螺退させると、把持部６から指標プレート２を取り外すことができるようにしてある。すなわち、指標プレート２は、２個の保持部材３に着脱可能に保持される。
【００１１】
指標プレート２の一対の目印線７、７Ａは、図１に示すように、指標プレート２の端縁から指標プレート２の長手方向に対して直角方向に延びるように、罫書きすることで、設けられている。その上、指標プレート２に設けられた目印線７と目印線７Aとの間の距離寸法Ｌ１は、既設エレベーターの三方枠における左辺の内側面と右辺の内側面との間口寸法Ｌ２と同一に設定してある。したがって、一方の保持部材３の把持部６の外端面（左端面）を指標プレート２の目印線７に合わせ、かつ、他方の保持部材３の把持部６の外端面（右端面）を指標プレート２の目印線７Ａに合わせた状態で、指標プレート２を保持してなる２個の保持部材３の当接部４の平坦面４Aを、それぞれ既設エレベーターの三方枠の上辺下面に当接させた場合には、一方の保持部材３の外端面（左端面）が既設エレベーターの三方枠における左辺の内側面に当接し、かつ、他方の保持部材３の把持部６の外端面（右端面）が既設エレベーターの三方枠における右辺の内側面に当接するため、指標プレート２及び２個の保持部材３からなるエレベーター改修用位置決め装置１が、既設エレベーターの三方枠内で左右方向にずれることがない。
【００１２】
さらに、一方の保持部材３の把持部６の外端面（左端面）を指標プレート２の目印線７に合わせ、かつ、他方の保持部材３の把持部６の外端面（右端面）を指標プレート２の目印線７Ａに合わせた状態で、指標プレート２を保持してなる２個の保持部材３の当接部４の平坦面４Aを、それぞれ既設エレベーターの三方枠の上辺下面に当接させた場合において、指標プレート２の位置指標穴８、８Aの位置が、ポケットを取り付けるための固定ブラケット１１の取り付け位置となるように、その位置指標穴８、８Aが指標プレート２に設けられている。
【００１３】
指標プレート２としては、既設エレベーターの既設三方枠の寸法、既設ドアマシン、ドア開閉方式（片開き方式・両開き方式）などの条件が異なっていても、対応できるように、一対の目印線７、７Ａ及び一対の取り付け位置指標穴８、８Aの位置の異なる複数個の指標プレートが、予め用意されている。
【００１４】
なお、図１に示す指標プレート２は、既設小形エレベーターの小形三方枠１２（以下、既設小形三方枠１２と称する。）に使用するのに適するように、一対の目印線７、７Ａ及び一対の取り付け位置指標穴８、８Aが設けられており、以下、既設小形三方枠用指標プレート１３と称することとする。また、オーダー型エレベーターのような大サイズの既設大形エレベーターの大形三方枠１４（以下、既設大形三方枠１４と称する。）に使用するのに適するように、一対の目印線７、７Ａ及び多数の取り付け位置指標穴１５A、１５Ｂ、１５Ｃ、１５Ｄ、１５Ｅを設けてなる指標プレートを、以下、既設大形三方枠用指標プレート１５と称することとする。
【００１５】
次に、上記構成のエレベーター改修用位置決め装置１を用いて、規格（標準）型エレベーターのような中小サイズの既設小形エレベーターにおける既設小形ポケットを、新しいものに取り替える場合の改修手順を、図２及び図３に基づき、詳説する。
【００１６】
すなわち、始めに、規格（標準）型エレベーターのような中小サイズの既設小形エレベーターから既設小形ポケットを取り外した後、複数個の指標プレートの中から、その既設小形エレベーターの既設小形三方枠１２に、使用する既設小形三方枠用指標プレート１３を選択する。
【００１７】
次いで、選択した既設小形三方枠用指標プレート１３を、その既設小形三方枠用指標プレート１３の目印線７、７Ａに合わせて保持部材３の把持部６の把持用溝６Ａに挿入した後、蝶ネジ９を螺進させることにより、保持部材３に既設小形三方枠用指標プレート１３を固定する。
【００１８】
次いで、保持部材３に既設小形三方枠用指標プレート１３を固定したならば、保持部材３の当接部４の平坦面４Aを、既設小形三方枠１２の上辺１２Ａの下面に、当接させた状態で、エレベーター改修用位置決め装置１を既設小形三方枠１２に設置する。この場合、図２に示すように、一方の保持部材３の外端面が既設小形三方枠１２における左辺１２Ｂの内側面に当接し、かつ、他方の保持部材３の把持部６の外端面（右端面）が既設小形三方枠１２における右辺１２Ｃの内側面に当接するので、指標プレート２及び２個の保持部材３からなるエレベーター改修用位置決め装置１が、既設小形三方枠１２内で左右方向にずれる（移動する）ことなく、設置される。
【００１９】
次いで、既設小形三方枠用指標プレート１３の位置指標穴８、８Aに対向する昇降路側壁面に、固定ブラケット１１の取り付け位置となる目印を罫書きする。
【００２０】
次いで、指標プレート２及び２個の保持部材３からなるエレベーター改修用位置決め装置１を、既設小形三方枠１２から取り除く。
【００２１】
次いで、昇降路側壁面に罫書きした２つの目印に、ドリルなどの穿孔装置を用いて、取り付け穴をそれぞれ設ける。
【００２２】
次いで、穿孔装置により、昇降路側壁面に設けた取り付け穴に、固定ブラケット１１をアンカーボルト１６によって固定し、最後に、その固定ブラケット１１に新設小形ポケット１７を取り付ければよい。
【００２３】
次に、上記一実施形態のエレベーター改修用位置決め装置１を用いて、オーダー型エレベーターのような大サイズの既設大形エレベーターにおける既設大形ポケットを、新しいものに取り替える場合の改修手順を、図４及び図５に基づき、詳説する。
【００２４】
すなわち、始めに、オーダー型エレベーターのような大サイズの既設大形エレベーターから既設大形ポケットを取り外した後、複数個の指標プレートの中から、その既設大形エレベーターの既設大形三方枠１４に、使用する既設大形三方枠用指標プレート１５を選択する。
【００２５】
次いで、選択した既設大形三方枠用指標プレート１５を、その既設大形三方枠用指標プレート１５の目印線７、７Ａに合わせて保持部材３の把持部６の把持用溝６Ａに挿入した後、蝶ネジ９を螺進させることにより、保持部材３に既設大形三方枠用指標プレート１５を固定する。
【００２６】
次いで、保持部材３に既設大形三方枠用指標プレート１５を固定したならば、保持部材３の当接部４の平坦面４Aを、既設大形三方枠１４の上辺１４Ａの下面に、当接させた状態で、エレベーター改修用位置決め装置１を既設大形三方枠１４に設置する。この場合、図４に示すように、一方の保持部材３の外端面が既設大形三方枠１４における左辺１４Ｂの内側面に当接し、かつ、他方の保持部材３の把持部６の外端面（右端面）が既設大形三方枠１４における右辺１４Ｃの内側面に当接するので、指標プレート２及び２個の保持部材３からなるエレベーター改修用位置決め装置１が、既設大形三方枠１４内で左右方向にずれる（移動する）ことなく、設置される。
【００２７】
次いで、既設大形三方枠用指標プレート１５の位置指標穴１５A、１５Ｂ、１５Ｃ、１５Ｄ、１５Ｅに対向する昇降路側壁面に、固定ブラケット１１の取り付け位置となる目印を罫書きする。
【００２８】
次いで、指標プレート２及び２個の保持部材３からなるエレベーター改修用位置決め装置１を、既設大形三方枠１４から取り除く。
【００２９】
次いで、昇降路側壁面に罫書きした５つの目印に、ドリルなどの穿孔装置を用いて、取り付け穴をそれぞれ設ける。
【００３０】
次いで、穿孔装置により、昇降路側壁面に設けた取り付け穴に、固定ブラケット１１をアンカーボルト１６によって固定し、最後に、その固定ブラケット１１に新設大形ポケット１８を取り付ければよい。
【００３１】
上記改修手順のように、エレベーター改修用位置決め装置１を既設小形三方枠１２若しくは既設大形三方枠１４に設置すれば、既設小形三方枠用指標プレート１３の位置指標穴８、８Aが新設小形ポケット１７を取り付けるための固定ブラケット１１の取り付け位置若しくは既設大形三方枠用指標プレート１５の位置指標穴１５A、１５Ｂ、１５Ｃ、１５Ｄ、１５Ｅが新設大形ポケット１８を取り付けるための固定ブラケット１１の取り付け位置となるので、その位置指標穴８、８A若しくは位置指標穴１５A、１５Ｂ、１５Ｃ、１５Ｄ、１５Ｅに対向する昇降路側壁面に罫書きした目印に取り付け穴を設けると共に、その取り付け穴に取り付けた固定ブラケット１１に新設小形ポケット１７若しくは新設大形ポケット１８を取り付けることにより、ピアノ線を用いることなく、新設小形ポケット１７若しくは新設大形ポケット１８を既設小形三方枠１２若しくは既設大形三方枠１４の上部に設置できる。
【００３２】
上記実施形態のエレベーター改修用位置決め装置１によれば、目印線７と目印線７Ａと間の距離寸法Ｌ１が、既設エレベーターの既設小形三方枠１２若しくは既設大形三方枠１４における左辺の内側面と右辺の内側面との間口寸法Ｌ２と同一に設定されているので、一方の保持部材３の外端面が既設小形三方枠１２における左辺１２Ｂ若しくは既設大形三方枠１４における左辺１４Ｂの内側面に当接し、かつ、他方の保持部材３の把持部６の外端面（右端面）が既設小形三方枠１２における右辺１２Ｃ若しくは既設大形三方枠１４における右辺１４Ｃの内側面に当接するため、既設小形三方枠用指標プレート１３の位置指標穴８、８A若しくは既設大形三方枠用指標プレート１５の位置指標穴１５A、１５Ｂ、１５Ｃ、１５Ｄ、１５Ｅが、罫書き作業中に左右方向にずれることがなく、その罫書きを正確に行うことができる。
【００３３】
上記実施形態のエレベーター改修用位置決め装置１によれば、既設小形三方枠用指標プレート１３若しくは既設大形三方枠用指標プレート１５を保持してなる２個の保持部材３の当接部４の平坦面４Ａを、それぞれ既設エレベーターの既設小形三方枠１２若しくは既設大形三方枠１４の上辺下面に当接させることで、既設小形三方枠用指標プレート１３の位置指標穴８、８Aの位置若しくは既設大形三方枠用指標プレート１５の位置指標穴１５A、１５Ｂ、１５Ｃ、１５Ｄ、１５Ｅの位置が、新設小形ポケット１７若しくは新設大形ポケット１８を取り付ける固定ブラケットの取り付け位置の目印となるため、何等の熟練した技術を必要とすることなく、新設小形ポケット１７若しくは新設大形ポケット１８を取り付けることができる。
【００３４】
さらに、上記実施形態のエレベーター改修用位置決め装置１によれば、種類の異なる既設三方枠に対応できるように、一対の目印線及び複数個の取り付け位置指標穴の位置を異ならせてなる複数個の指標プレートを備えてあるので、種類の異なる既設エレベーターの改修に対して、一セットの保持部材３で対応させることができ、使い勝手がよく、経済性に優れている。
【図面の簡単な説明】
【００３５】
【図１】本発明の一実施形態にエレベーター改修用位置決め装置全体の外観斜視図である。
【図２】図２は、本発明の一実施形態に係わるエレベーター改修用位置決め装置を既設小形三方枠に設置した状態を示す正面図である。
【図３】本発明の一実施形態に係わるエレベーター改修用位置決め装置を用いて新設小形ポケットを既設小形三方枠上部に取り付けた状態を示す正面図である。
【図４】本発明の一実施形態に係わるエレベーター改修用位置決め装置を既設大形三方枠に設置した状態を示す正面図である。
【図５】本発明の一実施形態に係わるエレベーター改修用位置決め装置を用いて新設大形ポケットを既設大形三方枠上部に取り付けた状態を示す正面図である。
【符号の説明】
【００３６】
１    エレベーター改修用位置決め装置
２    指標プレート
３    保持部材
４    当接部
４Ａ  平坦面
５    立設部
６    把持部
６Ａ  把持用溝
７、７Ａ  目印線
８、８Ａ  位置指標穴
９    蝶ネジ
１１  固定ブラケット
１２  既設小形三方枠
１３  既設小形三方枠用指標プレート
１４  既設大形三方枠
１５  既設大形三方枠用指標プレート
１５A、１５Ｂ、１５Ｃ、１５Ｄ、１５Ｅ  位置指標穴
１６  アンカーボルト
１７  新設小形ポケット
１８  新設大形ポケット
【図１】
2005324876.tif 000003
【図２】
2005324876.tif 000004
【図３】
2005324876.tif 000005
【図４】
2005324876.tif 000006
【図５】
2005324876.tif 000007